(57)【要約】【課題】結線作業が容易なリモートコントロール式回路遮断器を提供する。【解決手段】主接点装置１３ａ，１３ｂがそれぞれ挿入された２つの主電路Ｌａ，Ｌｂを有する。主接点装置１３ａ，１３ｂは、接点開閉装置１４が異常電流の通過を検出すると強制的に開極される。主接点装置１３ａと負荷側端子１２ａとの間には副接点装置１５ａが挿入され、副接点装置１５ａは遠隔開閉装置１６に設けた電磁石装置により開閉される。電磁石装置のコイル１６ｘは主電路Ｌｂにおいて主接点装置１３ｂと負荷側端子１２ｂとの間から分岐し遠隔制御端子１８ｂに至る経路に挿入され、主電路Ｌａにおいて主接点装置１３ａと副接点装置１５ａとの間から分岐する経路には遠隔制御端子１８ａが接続される。したがって、両遠隔制御端子１８ａ，１８ｂの間に電流経路を形成するとコイル１６ｘに通電され、副接点装置１５ａが開閉される。【選択図】        図１
2006185879.tif 000002
【特許請求の範囲】
【請求項１】
器体に設けた２極分の電源側接続部および負荷側接続部と、各極の電源側接続部と負荷側接続部との間にそれぞれ形成される２つの主電路にそれぞれ挿入される主接点装置と、主接点装置の閉極時に少なくとも一方の主電路における異常電流の通過を検出し異常電流の通過時に主接点装置を強制的に開極させる接点開閉装置と、少なくとも一方の主電路において主接点装置と直列に接続された副接点装置と、各主電路において主接点装置と負荷側接続部との間から分岐した経路にそれぞれ接続される２個の遠隔制御接続部と、各主電路と各遠隔制御接続部とを含むループ経路内にコイルが挿入される電磁石装置を備え当該電磁石装置により副接点装置を開閉駆動する遠隔開閉装置とを備え、両遠隔制御接続部の間に電流が流れる経路を形成することによりコイルに通電されることを特徴とするリモートコントロール式回路遮断器。
【請求項２】
前記接点開閉装置は前記器体から外部に露出し手動操作により前記主接点装置を開閉させるハンドルを備え、前記副接点装置は少なくとも一方の主電路において主接点装置と負荷側接続部との間に挿入されることを特徴とする請求項１記載のリモートコントロール式回路遮断器。
【請求項３】
前記副接点装置が挿入されている主電路では前記主接点装置と副接点装置との間から前記遠隔制御接続部に分岐する経路が形成されていることを特徴とする請求項２記載のリモートコントロール式回路遮断器。
【発明の詳細な説明】
【技術分野】
【０００１】
本発明は、リモートコントロール式回路遮断器に関するものである。
【背景技術】
【０００２】
従来から提供されているリモートコントロール式回路遮断器（以下、「リモコンブレーカ」と略称する）としては、電源側端子と負荷側端子との間の主電路に挿入された主接点装置と、主電路に異常電流が流れたときに主接点装置を開極させる接点開閉装置と、外部からの制御信号により主接点装置の開閉状態を反転させるように主接点装置を駆動する遠隔開閉装置と、遠隔開閉装置に制御信号を与えるための外部電線が接続される遠隔制御端子とを備えるものが知られている（たとえば、特許文献１参照）。
【０００３】
特許文献１に記載されたリモコンブレーカでは、いわゆる分電盤協約寸法（ＪＩＳ規格における電灯配線用しゃ断器の寸法）における単位寸法の器体に上述した構成を１極分設けている。このリモコンブレーカを分電盤に取り付けるときには、必要な極数分の器体を連接して配置するとともに、同寸法の器体に収納した漏電検出装置を必要に応じて連接して配置する。漏電検出装置は負荷回路における漏電の有無を検出し、漏電の発生を検出すると引き外し用電磁石を動作させるように構成されている。引き外し用電磁石は、連接して配置されるリモコンブレーカの接点開閉装置に機械的に結合され、漏電の発生により引き外し用電磁石が動作するとリモコンブレーカの接点開閉装置を駆動し、主接点装置を開極させる。
【０００４】
一方、図５に示すように、遠隔開閉装置１６は、励磁用のコイル１６ｘに通電する向きに応じてプランジャ（図示せず）を進退させるように構成された双安定型の有極電磁石装置と、コイル１６ｘの一端に接続される共通接点および共通接点と選択的に接続される２つの切換接点を備える切換スイッチ１７と、切換スイッチ１７の各切換接点に一端が接続された２個のダイオードＤ１，Ｄ２とを備える。ダイオードＤ１，Ｄ２の他端は遠隔制御端子１８ａに接続される。ここに、図示例ではダイオードＤ１はアノードが遠隔制御端子１８ａに接続され、ダイオードＤ２はカソードが遠隔制御端子１８ａに接続されている。また、コイル１６ｘの他端は遠隔制御端子１８ｂに接続される。特許文献１では切換スイッチ１７として小型スイッチを用いている。
【０００５】
遠隔制御端子１８ａ，１８ｂに与える制御信号は、２個の切換接点を有した操作スイッチＳＷと、操作スイッチＳＷの切換接点にそれぞれ一端が接続され他端が遠隔制御端子１８ａに接続される２個のダイオードＤ３，Ｄ４とを備える操作回路２１を用い、操作スイッチＳＷの共通接点と遠隔制御端子１８ｂとの間に交流電源ＡＣを接続することによって与えられる。図示例ではダイオードＤ３はカソードが遠隔制御端子１８ａに接続され、ダイオードＤ４はアノードが遠隔制御端子１８ａに接続されている。つまり、遠隔制御端子１８ａを挟んでダイオードＤ１とダイオードＤ３とが順直列に接続され、遠隔制御端子１８ａを挟んでダイオードＤ２とダイオードＤ４とが順直列に接続される。
【０００６】
したがって、図５に示すように、切換スイッチ１７がダイオードＤ１を選択している状態では、操作スイッチＳＷでダイオードＤ３を選択すれば、交流電源ＡＣからダイオードＤ３，Ｄ１とコイル１６ｘとを通る経路で電流が流れるから遠隔開閉装置１６が動作する。遠隔開閉装置１６が動作すると主接点装置の開閉状態が反転し、また切換スイッチ１７の接点位置が反転してダイオードＤ２が選択される。つまり、交流電源ＡＣからコイル１６ｘへの通電が停止し、有極電磁石装置の位置が維持される。次に、操作スイッチＳＷでダイオードＤ４を選択すれば、交流電源ＡＣからコイル１６ｘとダイオードＤ２，Ｄ４とを通る経路で電流が流れるから遠隔開閉装置１６が動作する。このとき、操作スイッチＳＷでダイオードＤ３を選択しているときとは逆向きの電流がコイル１６ｘを通過するから、主接点装置の開閉状態が反転し、また切換スイッチ１７の接点位置が反転してダイオードＤ１が選択された図５の状態に戻る。このように、操作スイッチＳＷの操作によって主接点装置の開閉状態を制御することが可能になる。
【０００７】
ところで、図６に示すように、複数個のリモコンブレーカＢを分電盤Ｃの中に収納し、各リモコンブレーカＢの主接点装置の開閉状態を制御する操作回路２１を接続するには、分電盤Ｃの中に複数個の端子２０ｃを備えた端子台２０を設ける。ここでは、一般的な例として、分電盤Ｃの中で主幹ブレーカ（図示せず）からの幹線に接続された交流電源ＡＣの電路を単相三線式とする。すなわち、図６においては幹線となる３本の導電バーＤａ，Ｄｂ，Ｄｃを配置しているものとする。
【０００８】
端子台２０に設けた端子２０ｃのうちの１つには中性極（Ｎ相）の導電バーＤｂに接続線２３を用いて接続され、残りの端子２０ｃにはリモコンブレーカＢの遠隔制御端子１８ｂがそれぞれ接続線２２を用いて接続される。ここに、図５に示した構成例では、遠隔制御端子１８ａに操作回路２１を接続しているが、図６の例では遠隔制御端子１８ｂに操作回路２１を接続している。したがって、遠隔制御端子１８ａが交流電源ＡＣに接続される。つまり、各リモコンブレーカＢの遠隔制御端子１８ａはそれぞれ接続線２４を用いて送り配線がなされ、分電盤Ｃの上部に配置した保護素子としてのヒューズＦを介して１つの電圧極（図示例ではＲ相）に接続される。
【０００９】
また、図５に示した構成例では、主接点装置と接点開閉装置と遠隔開閉装置と遠隔制御端子とを１つの器体に１極分ずつ設ける場合を想定しているが、図６に示す構成例では２極分の主接点装置と２極分の主接点装置に共用した接点開閉装置とを含む遮断機能部Ｂｏを１つの器体に設け、１つの遠隔開閉装置を用いて遮断機能部Ｂｏが２極分の主接点装置を開閉するように構成してある。したがって、各リモコンブレーカＢは２極分の電源側端子１１ａ，１１ｂと２極分の負荷側端子１２ａ，１２ｂを備える。電源側端子１１ａは一方の電圧極に接続され、電源側端子１１ｂは中性極に接続される。
【００１０】
一方、操作回路２１の一端は端子台２０に設けた端子２０ｃに接続され、操作回路２１の他端は接続線２５を用いて送り配線がなされ端子台２０において中性極の導電バーＤｂと接続した端子２０ｃに接続される。このような接続関係により、各操作回路２１の一端が交流電源ＡＣの中性極に接続され、各操作回路２１の他端が２つの遠隔制御端子１８ａ，１８ｂの一方に接続され、さらに遠隔制御端子１８ａ，１８ｂの他方が保護素子としてのヒューズＦを介して交流電源の１つの電圧極に接続されるのである。
【特許文献１】特開平８−２６４０９７号公報
【発明の開示】
【発明が解決しようとする課題】
【００１１】
上述したように、従来のリモコンブレーカＢでは、操作回路２１を介して遠隔制御端子１８ａ，１８ｂに交流電源ＡＣを接続するから、一方の遠隔制御端子１８ａ，１８ｂと交流電源ＡＣとの間にヒューズＦのような保護素子を設ける必要があり、分電盤Ｃ内に配置する部材の増加につながっていた。また、遠隔制御端子１８ａ，１８ｂの一方（図示例では遠隔制御端子１８ｂ）と端子台２０の端子２０ｃとを結線する接続線２２のほか、中性極を端子２０ｃに接続する接続線２３、遠隔制御端子１８ａの送り配線用の接続線２４、操作回路２１の間の接続線２５が必要であり、接続線２２〜２５の接続箇所がそれぞれ異なっているから、接続線２２〜２５の接続箇所の確認作業に手間がかかるという問題が生じる。接続線２４を用いずに遠隔制御端子１８ｂをそれぞれ個別に交流電源ＡＣの電圧極に接続すれば、接続関係はわかりやすくなるものの、ヒューズＦのような保護素子が多数必要になり、分電盤Ｃ内に配置する部材が一層増加することになる。
【００１２】
本発明は上記事由に鑑みて為されたものであり、その目的は、複数台を用いる場合の結線作業が容易になるリモートコントロール式回路遮断器を提供することにある。
【課題を解決するための手段】
【００１３】
請求項１の発明は、器体に設けた２極分の電源側接続部および負荷側接続部と、各極の電源側接続部と負荷側接続部との間にそれぞれ形成される２つの主電路にそれぞれ挿入される主接点装置と、主接点装置の閉極時に少なくとも一方の主電路における異常電流の通過を検出し異常電流の通過時に主接点装置を強制的に開極させる接点開閉装置と、少なくとも一方の主電路において主接点装置と直列に接続された副接点装置と、各主電路において主接点装置と負荷側接続部との間から分岐した経路にそれぞれ接続される２個の遠隔制御接続部と、各主電路と各遠隔制御接続部とを含むループ経路内にコイルが挿入される電磁石装置を備え当該電磁石装置により副接点装置を開閉駆動する遠隔開閉装置とを備え、両遠隔制御接続部の間に電流が流れる経路を形成することによりコイルに通電されることを特徴とする。
【００１４】
従来構成では、主電路に挿入した主接点装置を、異常電流に応答する接点開閉装置と制御信号に応答する遠隔開閉装置とで開閉していたのに対して、本発明では、接点開閉装置が開閉する主接点装置とは別に、遠隔開閉装置が開閉する副接点装置を設け、副接点装置を主接点装置と直列に接続し、さらに、遠隔開閉装置を動作させるのに必要な交流電源を主電路から供給する構成を採用している。この構成によって、遠隔制御接続部には交流電源を接続する必要がなく、２つの遠隔制御接続部の間に電流が流れる経路を形成するだけで遠隔開閉装置を作動させることができる。また、各主電路と各遠隔制御接続部とを接続する経路は、各主電路において主接点装置と負荷側接続部との間から分岐させているから、コイルを含む経路で短絡などが生じたときには接点開閉装置が作動して主接点装置が開極し、ヒューズのような保護素子を別途に設けることなく接点開閉装置と主接点装置によって保護することが可能になる。このように、保護素子の結線が不要であるとともに２つの遠隔制御接続部の間に電流が流れる経路を形成するだけで遠隔開閉装置を作動させることができるから、複数個の器体を並設する際には各器体ごとに２本ずつの接続線を遠隔制御接続部に接続するだけの結線になり、従来構成のような送り配線が不要であって、結線が単純化されてわかりやすく結線作業が容易になる。
【００１５】
請求項２の発明では、請求項１の発明において、前記接点開閉装置は前記器体から外部に露出し手動操作により前記主接点装置を開閉させるハンドルを備え、前記副接点装置は少なくとも一方の主電路において主接点装置と負荷側接続部との間に挿入されることを特徴とする。
【００１６】
この構成によれば、副接点装置の電源側に主接点装置が設けられるから、主接点装置の閉極時にのみコイルへの通電が可能になり、ハンドルを手動操作して主接点装置を開極させることにより、電源側接続部と遠隔制御接続部との間の経路を遮断することができる。その結果、遠隔制御他接続部に外部回路を接続する作業に際して感電を防止して安全に作業することができる。
【００１７】
請求項３の発明では、請求項２の発明において、前記副接点装置が挿入されている主電路では前記主接点装置と副接点装置との間から前記遠隔制御接続部に分岐する経路が形成されていることを特徴とする。
【００１８】
この構成によれば、副接点装置が開極した状態でも遠隔開閉装置の電源が確保されているから、副接点装置を開極させる動作だけではなく閉極させる動作も遠隔制御接続部を通して指示することができる。
【発明の効果】
【００１９】
本発明の構成によれば、遠隔開閉装置を動作させるのに必要な交流電源を主電路から供給する構成を採用しているから、遠隔制御接続部には交流電源を接続する必要がなく、２つの遠隔制御接続部の間に電流が流れる経路を形成するだけで遠隔開閉装置を作動させることができる。また、コイルを含む経路で短絡などが生じたときには接点開閉装置が作動して主接点装置が開極するから、ヒューズのような保護素子を別途に設けることなく接点開閉装置と主接点装置によって保護することが可能になる。すなわち、保護素子の結線が不要であるとともに２つの遠隔制御接続部の間に電流が流れる経路を形成するだけで遠隔開閉装置を作動させることができるから、複数個の器体を並設する際には各器体ごとに２本ずつの接続線を遠隔制御接続部に接続するだけの単純な結線になり、結線作業が容易になるという利点を有する。
【発明を実施するための最良の形態】
【００２０】
以下に説明するリモートコントロール式回路遮断器（リモコンブレーカ）は、少なくとも２極の主電路を有することを前提にしている。つまり、電源側端子（電源側接続部）と負荷側端子（負荷側接続部）との対を２対備え、各対ごとに電源側端子と負荷側端子との間にそれぞれ形成される主電路にそれぞれ主接点装置が挿入される。
【００２１】
（実施形態１）
本実施形態は、図１に模式的に示すように、２極のリモコンブレーカであって、電圧極（Ｒ相）用と中性極（Ｎ相）用との２個の電源側端子１１ａ，１１ｂと、各電源側端子１１ａ，１１ｂにそれぞれ主電路Ｌａ，Ｌｂを介して接続される２個の負荷側端子１２ａ，１２ｂとを器体１に備える。
【００２２】
器体１の端部には、帯板状の導電バーＤａ，Ｄｂ，Ｄｃの一部が差し込まれる受け溝１ａ，１ｂ，１ｃが並設される。本実施形態では、３枚の導電バーＤａ，Ｄｂ，Ｄｃは厚み方向に離間して積み重ねられ、かつ平行に配置されているから、各導電バーＤａ，Ｄｂ，Ｄｃをそれぞれ導入できるように３個の受け溝１ａ，１ｂ，１ｃが器体１に設けられている。図示する構成例では、電圧極としてＲ相を用いる例を示しており、電源側端子１１ａ，１１ｂを受け溝１ａ，１ｂに設けているが、電圧極としてＴ相を用いる場合には、受け溝１ｂ，１ｃに電源側端子１１ａ，１１ｂを設ける（受け溝１ｂが電源側端子１１ｂ、受け溝１ｃが電源側端子１１ａになる）。電源側端子１１ａ，１１ｂは導電バーＤａ，Ｄｂ，Ｄｃとの電気的接続が必要な受け溝１ａ，１ｂの中に配設された受けばね１１からなる。受けばね１１は、断面逆Ω字状であって導電バーＤａ，Ｄｂの幅方向の一側部が差し込まれ導電バーＤａ，Ｄｂを厚み方向の両側から挟持する。一方、負荷側端子１２ａ，１２ｂは、電線ないし電線に接続した端子を端子ねじの頭部と端子板との間で挟み込むねじ付き端子を用いるが、板ばねのばね力を利用して電線を保持する速結端子を用いてもよい。
【００２３】
器体１内において、各主電路Ｌａ，Ｌｂにはそれぞれ主接点装置１３ａ，１３ｂが挿入される。電圧極に接続される主電路Ｌａには、電源側端子１１ａと主接点装置１３ａとの間に、電磁引き外し装置１４ｘおよびバイメタル１４ｙも挿入される。電磁引き外し装置１４ｘおよびバイメタル１４ｙは、主接点装置１３ａ，１３ｂを開閉させる接点開閉装置１４の構成要素であって、短絡電流や過電流のような異常電流に応答して動作し、ばねとリンクとを組合せて構成されたトリップ機構を作動させ、ばね力を用いて主接点装置１３ａ，１３ｂを強制的に開極させる。接点開閉装置１４は、器体１の一面に突出するハンドル１４ｚを備え、ハンドル１４ｚを起倒させる手動操作によりトリップ機構を作動させることなく主接点装置１３ａ，１３ｂを開閉させる。接点開閉装置１４におけるトリップ機構およびハンドル１４ｚの動作は周知であるから詳述しない。
【００２４】
主電路Ｌａに挿入された主接点装置１３ａと負荷側端子１２ａとの間には副接点装置１５ａを挿入してあり、副接点装置１５ａを開閉することによって電源と負荷との給電経路を入切を可能にしている。つまり、主接点装置１３ａと副接点装置１５ａとは直列接続される。副接点装置１５ａは遠隔開閉装置１６を構成する有極かつ双安定型である電磁石装置（図１には電磁石装置のコイル１６ｘを示している）により駆動される。つまり、従来構成の遠隔開閉装置１６では、器体１に内蔵した切換スイッチ１７の接点位置を切り換えるだけであったが、本実施形態では、遠隔開閉装置１６により副接点装置１５ａの開閉も行う。電磁石装置を構成するコイル１６ｘの一端は切換スイッチ１７の共通接点に接続され、切換スイッチ１７に設けた２つの切換接点の一方にはダイオードＤ１のカソードが接続され他方にはダイオードＤ２のアノードが接続される。また、ダイオードＤ１のアノードとダイオードＤ２のカソードとは遠隔制御端子（遠隔制御接続部）１８ａに接続される。コイル１６ｘの他端は主電路Ｌｂにおいて主接点装置１３ｂと負荷側端子１２ｂとの間に接続される。また、主電路Ｌａにおいて主接点装置１３ａと副接点装置１５ａとの間は遠隔制御端子１８ｂに接続される。
【００２５】
すなわち、各主電路Ｌａ，Ｌｂにおいて主接点装置１３ａ，１３ｂと負荷側端子１２ａ，１２ｂとの間から分岐した経路にそれぞれ接続される２個の遠隔制御端子１８ａ，１８ｂが設けられる。また、各主電路Ｌａ，Ｌｂと各遠隔制御端子１８ａ，１８ｂとを含むループ経路内に遠隔開閉装置１６のコイル１６ｘが挿入される。
【００２６】
上述のように、電圧極に接続される主電路Ｌａと中性極に接続される主電路Ｌｂとの一方に遠隔開閉装置１６のコイル１６ｘを介して遠隔制御端子１８ａを接続し他方に遠隔制御端子１８ｂを接続しているから、コイル１６ｘに通電するための電源を主電路Ｌａ，Ｌｂから確保することができる。
【００２７】
たとえば、切換スイッチ１７が図１に示すようにダイオードＤ１を選択している状態において、主接点装置１３ａ，１３ｂが閉極しているものとし、遠隔制御端子１８ｂから遠隔制御端子１８ａに向かう向きにのみ電流が流れるように両遠隔制御端子１８ａ，１８ｂの間にダイオードを挿入して電流の向きを規定すると、主電路Ｌａ−遠隔制御端子１８ｂ−遠隔制御端子１８ａ−ダイオードＤ１−コイル１６ｘ−主電路Ｌｂの経路で電流が流れることにより、遠隔開閉装置１６を作動させることができる。ここで、図１のようにダイオードＤ１を選択しているときに副接点装置１５ａが開極している場合には、上述のようにしてコイル１６ｘに通電することで副接点装置１５ａを閉極させることができる。また、切換スイッチ１７ではダイオードＤ２を選択するから、コイル１６ｘに通電されなくなるが、電磁石装置が有極かつ双安定型であるから副接点装置１５ａは閉極した状態に保たれる。
【００２８】
切換スイッチ１７でダイオードＤ２を選択している状態において、遠隔制御端子１８ａから遠隔制御端子１８ｂに向かう向きにのみ電流が流れるように両遠隔制御端子１８ａ，１８ｂの間にダイオードを挿入して電流の向きを規定すると、主電路Ｌｂ−コイル１６ｘ−ダイオードＤ２−遠隔制御端子１８ａ−遠隔制御端子１８ｂ−主電路Ｌａの経路で電流が流れることにより、遠隔開閉装置１６を作動させ、副接点装置１５ａを開極させることができる。また、このとき、切換スイッチ１７はダイオードＤ１を選択した状態に戻る。
【００２９】
要するに、両遠隔制御端子１８ａ，１８ｂの間には、２つの切換接点を有する操作スイッチＳＷと、操作スイッチＳＷの各切換接点にそれぞれ接続された２個のダイオードＤ３，Ｄ４とからなる操作回路２１を接続するだけであって、交流電源ＡＣとの接続は不要になる。ダイオードＤ３はカソードが遠隔制御端子１８ａに接続され、ダイオードＤ４はアノードが遠隔制御端子１８ａに接続される。また、遠隔制御端子１８ｂには操作スイッチＳＷの共通接点が接続される。操作スイッチＳＷを操作することにより接点位置を切り換えると、遠隔制御端子１８ａ，１８ｂの間の電流の通過方向をダイオードＤ３，Ｄ４によって規定することができ、上述した動作が可能になる。
【００３０】
上述の動作から明らかなように、コイル１６ｘに通電するための電源は、主接点装置１３ａ，１３ｂと副接点装置１５ａとの間から得ているから、副接点装置１５ａの開閉にかかわらず主接点装置１３ａ，１３ｂが閉極していれば確保することができる。また、コイル１６ｘに通電する経路において短絡のような異常が生じたときには、電源側端子１１ａ，１１ｂと主接点装置１３ａ，１３ｂとの間に挿入された電磁引き外し装置１４ｘとバイメタル１４ｙとのいずれかが応答して接点開閉装置１４のトリップ機構を作動させるから、主接点装置１３ａ，１３ｂが開極することにより異常電流に対する保護がなされる。つまり、別途にヒューズのような保護素子を設けることなく、ブレーカの保護機能を流用してコイル１６ｘの給電経路における保護を行うことができる。また、ブレーカの保護機能を流用しているから、ハンドル１４ｚにより主接点装置１３ａ，１３ｂを開極させておけば、遠隔制御端子１８ａ，１８ｂは電源から切り離され、遠隔制御端子１８ａ，１８ｂへの結線作業を安全に行うことができる。
【００３１】
図２は上述した構成のリモコンブレーカＢを分電盤Ｃに収納する場合の接続例を示している。図示例は単相三線式であって、分電盤Ｃには主幹ブレーカ（図示せず）に接続された帯板状の３本の導電バーＤａ，Ｄｂ，Ｄｃが配置される。各リモコンブレーカＢの電源側端子１１ｂは中性極（Ｎ相）の導電バーＤｂに接続され、残りの２つの電圧極（Ｔ相、Ｒ相）の導電バーＤａ，Ｄｃの一方は電源側端子１１ａ（導電バーＤａは受け溝１ａの電源側端子１１ａ、導電バーＤｃは受け溝１ｃの電源側端子１１ａ）に接続される。各リモコンブレーカＢの遠隔制御端子１８ａ，１８ｂは、それぞれ接続線２２を用いて端子台２０に設けた端子２０ａ，２０ｂに接続される。端子台２０に設けた各端子２０ａ，２０ｂは２個ずつ対であって、端子２０ａは各リモコンブレーカＢの遠隔制御端子１８ａに接続され、端子２０ｂは各リモコンブレーカＢの遠隔制御端子１８ｂに接続される。また、端子２０ａ，２０ｂの対ごとに操作回路２１が接続される。
【００３２】
図２から明らかなように、各リモコンブレーカＢごとに遠隔制御端子１８ａ，１８ｂと端子台２０の端子２０ａ，２０ｂとの間を２本ずつの接続線２２で接続するだけでよく、また端子台２０において対になる端子２０ａ，２０ｂの間にそれぞれ操作回路２１を接続するだけであるから、接続関係が単純でわかりやすく結線作業が容易になる。ここで、図１に示した例では電圧極としてＲ相を用いているが、図２から明らかなように、電圧極としてＴ相を用いることもできるのはもちろんのことである。また、電源側端子１１ａ，１１ｂ、負荷側端子１２ａ，１２ｂ、遠隔制御端子１８ａ，１８ｂとしては、他の形式の接続部を採用してもよい。
【００３３】
（実施形態２）
実施形態１の構成では、２つの主電路Ｌａ，Ｌｂのうち一方の主電路Ｌａにのみ副接点装置１５ａを挿入する例を示したが、本実施形態は、図３に示すように、２つの主電路Ｌａ，Ｌｂの両方にそれぞれ副接点装置１５ａ，１５ｂを挿入している。各副接点装置１５ａ，１５ｂは、それぞれ主接点装置１３ａ，１３ｂと負荷側端子１２ａ，１２ｂとの間に挿入され、コイル１６ｘを備える１つの電磁石装置により開閉駆動される。また、実施形態１と同様に、主電路Ｌａにおいて主接点装置１３ａと副接点装置１５ａとの間に遠隔制御端子１８ａが接続される。コイル１６ｘの一端は、主電路Ｌｂにおいて主接点装置１３ｂと副接点装置１５ｂとの間に接続される。要するに、副接点装置１５ａ，１５ｂを含む主電路Ｌａ，Ｌｂでは、主接点装置１３ａ，１３ｂと副接点装置１５ａ，１５ｂとの間から遠隔制御端子１８ａ，１８ｂに分岐し、主接点装置１３ａ，１３ｂが閉極しているときにのみコイル１６ｘへの通電が可能になる。
【００３４】
本実施形態の構成では、負荷への給電経路の往路と復路となる２つの主電路Ｌａ，Ｌｂの両方に主接点装置１３ａ，１３ｂが挿入されるだけではなく、副接点装置１５ａ，１５ｂも挿入されるのであって、実施形態１がいわゆる往路と復路との一方のみに副接点装置１５ａを挿入した片切り型であるのに対して、本実施形態は両切り型になる。他の構成および使用時の接続関係は実施形態１と同様である。
【００３５】
（実施形態３）
実施形態１、２は、中性極（Ｎ相）と一方の電圧極（Ｒ相またはＴ相）とに接続して用いる構成であるのに対して、本実施形態では、図４に示すように、実施形態２の構成に代えて、２つの電圧極に接続して使用する構成を採用している。つまり、実施形態１、２は１００Ｖ用であり、本実施形態は２００Ｖ用に相当する。したがって、電源側端子１１ａ，１１ｂは電圧極の導電バーＤａ，Ｄｃに接続できるように、３個の受け溝１ａ，１ｂ，１ｃのうち上下の受け溝１ａ，１ｃに受けばね１１を配設している。また、接点開閉装置１４は各主電路Ｌａ，Ｌｂごとに電磁引き外し装置１４ｘとバイメタル１４ｙとを挿入してある。したがって、異常電流に対して２個ずつの電磁引き外し装置１４ｘとバイメタル１４ｙとが応答することにより、主接点装置１３ａ，１３ｂを強制的に開極させる際の駆動力が大きくなる。他の構成および動作は実施形態２と同様である。
【００３６】
なお、実施形態１、２、３のいずれかの構成において電源側端子と負荷側端子と主接点装置とを追加すれば、３極以上のリモコンブレーカを構成することができ、３極以上のリモコンブレーカを構成した場合でも本発明の技術思想は適用可能である。
【図面の簡単な説明】
【００３７】
【図１】本発明の実施形態１を示す概略構成図である。
【図２】同上の使用例を示す回路図である。
【図３】本発明の実施形態２を示す概略構成図である。
【図４】本発明の実施形態３を示す概略構成図である。
【図５】従来構成を示す要部回路図である。
【図６】同上の使用例を示す回路図である。
【符号の説明】
【００３８】
１  器体
１１ａ，１１ｂ  電源側端子（電源側接続部）
１２ａ，１２ｂ  負荷側端子（負荷側接続部）
１３ａ，１３ｂ  主接点装置
１４  接点開閉装置
１４ｚ  ハンドル
１５ａ、１５ｂ  副接点装置
１６  遠隔開閉装置
１６ｘ  コイル
１８ａ，１８ｂ  遠隔制御端子（遠隔制御接続部）
Ｌａ，Ｌｂ  主電路
【図１】
2006185879.tif 000003
【図２】
2006185879.tif 000004
【図３】
2006185879.tif 000005
【図４】
2006185879.tif 000006
【図５】
2006185879.tif 000007
【図６】
2006185879.tif 000008